Podtech/llm-jp-corpus-v4-ja_patent huggingface dataset:
(57)【要約】【課題】箸立て底盤部の除菌清掃を容易にできるように底部を取り外せるようにし、箸立てを持ち上げたときなどの瞬時の動作と箸の重みで底盤部が簡単に外れないこと、常時、立てた箸先が直接に底盤部に触れない構造とすること。【解決手段】筒状の箸立て本体上部１と、安定底盤８を接合した箸立て本体下部７を予め分離し、ネジ接合することで容易に２分割取り外しができるようにし、箸立て本体上部１と箸立て本体下部７とのネジ接合位置内側に箸置き網棚３を装着固定して、箸先が箸立て底部に直接に触れないよう衛生的な箸立てにした。【選択図】図１
0003161784.tif 000002
【実用新案登録請求の範囲】
【請求項１】
筒状の箸立て本体上部１と、安定底盤８を接合した箸立て本体下部７を分離し、箸立て本体上部１のネジ接合部２と箸立て本体下部７のネジ接合部６でねじ込み本体を構成し、箸立て本体下部７を容易に取り外しできるようにしたことを特徴とするクリーン箸立て。
【請求項２】
箸先が箸立ての底盤部に直接触れないように箸立て本体上部１と箸立て本体下部７の本体接合位置内側に脱着可能な箸置き網棚３を有することを特徴とする［請求項１］に記載したクリーン箸立て。
【請求項３】
箸立て本体上部１と箸立て本体下部７と箸置き網棚３のそれぞれを、ネジ接合位置及び同時作用で装着固定させるための、箸立て本体下部７に網棚設置用の開口部４と箸置き網棚３に網棚支持部４を有することを特徴とする［請求項１］に記載したクリーン箸立て。
【考案の詳細な説明】
【技術分野】
【０００１】  本考案は、毎日の食卓で使うお箸を常に衛生的に保つため、雑菌などから汚染されやすい、箸立ての内部・底部の除菌清掃などが容易に行えるようにする箸立て具に関する技術である。
【背景技術】
【０００２】  従来からの箸立ては筒状の縦長のものが多く使用され底部が見づらく、カビ・雑菌等が蔓延しても除菌清掃が御座なりにされがちであった、知らず知らずのうちに箸先が雑菌に触れ汚染された箸を使って食事していることに気づかず衛生的では無かった。【０００３】  従来の下記文献番号（特開）２００４−０３３７２２の考案は、箸先が底部に着かないとして筒状の箸立てに底部を設けず、筒の中間に箸置き棚を接合固定し、棚部の下部付近に通気孔を設けている、しかし、棚部が固定されているため取り外しが出来ず内部の除菌清掃が不便である、又、底盤部を設けていないため水分が残存する箸・スプーンなどを立てた場合にテーブル上等を汚すため衛生的ではないし、そのためか通気孔を設けているが、不完全に洗浄された箸先に残存する食材の栄養分を求めてゴキブリなど害虫が徘徊し温床になりかねない。【０００４】  従来の下記文献番号（実開）６−７５２７３の考案は、筒状の箸立ての底盤部を単に、はめ込み式で取り外しが出来るようにし、個人別々に箸を立てる目的で格子状に区画形成した上蓋を設けているが、箸立てを持ち上げたときの瞬時の動作や箸の重み、或いは箸立てを床に落とした時など簡単に底が抜ける可能性があり、又、常に箸先がカビ等の雑菌に触れるため従来の技術となんら変わらず衛生的ではない。
【先行技術文献】
【特許文献】
【０００５】
【特許文献１】文献番号（特開）２００４−０３３７２２
【特許文献２】文献番号（実開）６−７５２７３
【考案の概要】
【考案が解決しようとする課題】
【０００６】  箸立て底盤部の除菌清掃を容易にできるように底部を取り外せるようにし、箸立てを持ち上げたときなどの瞬時の動作とか箸の重み等、或いは落下等で底盤部が簡単に外れないこと、常時、立てた箸先が直接に底盤部に触れないようにすること。
【課題を解決するための手段】
【０００７】  本考案は金属・プラスチック・ガラスを材質とし、形状は円形・多角形とした、筒状の箸立て本体上部１と、安定底盤８を接合した箸立て本体下部７を予め分離し、ネジ接合部２とネジ接合部６でねじ込み、箸立て本体上部１と箸立て本体下部７で本体を構成し、底盤部の箸立て本体下部７を容易に取り外しできるようにした、箸立て本体下部７には網棚設置用開口部４を設け、箸置き網棚に設けた網棚支持部５を上方より挿入配置し、上方向から箸立て本体上部１をねじ込み接合することにより、箸置き網棚３が箸立て本体上部１と箸立て本体下部７との間に挟まれるように双方のネジ接合位置にて同時に装着固定される。
【考案の効果】
【０００８】  箸立て本体上部１と安定底盤８を接合した箸立て本体下部７を分離しネジ接合としたため、箸立て本体の２分割取り外しが容易になり、除菌清掃などが簡単に行えるようになった、又、箸立て本体上部１と箸立て本体下部７との中間に、箸置き網棚３を設けたことで箸先が直接に底盤部に触れないようになり、衛生的な箸立てになった、さらに、箸置き網棚の固定・取り外しは、本体の組み立て・分解作用により必然的に行われるため、脱着の手間が省け合理的なものになった、
【図面の簡単な説明】
【０００９】
【図１】  クリーン箸立て本体の斜視図である。
【図２】  クリーン箸立ての（箸置き網棚平面図）・（箸置き網棚側面図）  （箸立て本体下部断面図）・（箸立て本体下部平面図）  （箸置き網棚設置図）である。
【図３】  クリーン箸立ての（箸立て本体上部断面図）・（箸置き網棚側面図）  （箸立て本体下部断面図）・（箸立て本体組み立て断面図）である
【考案を実施するための形態】
・
【実施例】
【００１０】  ［図３］の断面図に示す通り、箸立て本体上部１と７箸立て本体下部７を予め分離し、上部・下部共にネジ接合部を設け、［図２］の平面図が示す通り、箸立て本体下部７のネジ接合部に網棚設置用開口部４を設けておき、箸置き網棚の支持部５を上方より挿入配置する、［図３］の断面図に示す通り、上方向から箸立て本体上部１を箸立て本体下部７にねじ込み接合する、その作用により箸置き網棚３は必然的に箸立て本体上部１と箸立て本体下部７との間に挟まれるように箸立て本体内部に装着固定される。
【符号の説明】
【００１１】      １    箸立て本体上部
２    ネジ接合部（本体上部）
３    箸置き網棚
４    網棚設置用開口部
５    網棚支持部
６    ネジ接合部（本体下部）
７    箸立て本体下部
８    安定底盤
９    箸（仮定）
１０    接合位置
【図１】
0003161784.tif 000003
【図２】
0003161784.tif 000004
【図３】
0003161784.tif 000005
(57)【要約】      （修正有）【課題】缶ビール・缶入り炭酸飲料水など、缶栓を一度開けた飲み残しの炭酸発泡を抑止し、飲料鮮度を長時間保持することができる缶飲料発泡抑止蓋を提供する。【解決手段】飲料缶上部に突出している円形状の縁全体に、発泡抑止蓋本体１の内側に装着した溝形密閉ゴムリング２を上部より食い込ませて装着し、さらに、飲料缶首部から肩部外周の比較的圧縮強度が高い位置まで密閉ゴムリングを密着させる。さらに、発泡抑止蓋本体１の上部に通気口用の孔を設け、通気口用ゴムリング５を装着した通気弁により、真空などの圧気状態を調整し蓋の脱着を容易にする。【選択図】図１
0003161783.tif 000002
【実用新案登録請求の範囲】
【請求項１】
従来から使用されている飲料缶１１上部に突出している円形状の缶縁部７周囲に、発泡抑止蓋本体１の内側に装着した溝形密閉ゴムリング２の溝部を上方より食い込ませ密閉状態にする、溝形密閉ゴムリング２を有することを特徴とする缶飲料発泡抑止蓋。
【請求項２】
比較的圧縮強度が高い飲料缶外周の首部１２から肩部１３の位置まで溝形密閉ゴムリング２を密着させるため、溝形密閉ゴムリング２の外側部の長さを内側部よりも長く設けたことを特徴とする［請求項１］に記載した缶飲料発泡抑止蓋。
【請求項３】
発泡抑止蓋本体１で密閉した場合に、蓋内の真空状態などの圧気状態を調整するため、発泡抑止蓋本体１上部に通気口用の孔を設け、通気口用ゴムリング５を装着した通気弁３を有することを特徴とする［請求項１］に記載した缶飲料発泡抑止蓋。
【考案の詳細な説明】
【技術分野】
【０００１】  本考案は、従来から缶入り飲料水・酒類として販売されている、缶ビール・缶入り炭酸飲料水などを途中で飲み残し、再度、時間を経て飲料する場合に、炭酸などの気が抜けないよう発泡抑止蓋１で発泡を抑止し、飲料鮮度を保とうとする蓋に関する技術である。
【背景技術】
【０００２】  従来から缶ビール・缶入り炭酸飲料水など発泡系の飲料水を飲み残し、長時間経過した後に飲料する場合、気が抜けて飲料鮮度が低下し捨てることが多々あり、一旦、サランラップで缶口を覆い輪ゴムで発泡を抑止していたが、発泡を完璧に抑えることが出来ず不便で面倒なものであった。
【先行技術文献】
【特許文献】
【０００３】
【特許文献１】無し
【考案の概要】
【考案が解決しようとする課題】
【０００４】  缶ビール・缶入り炭酸飲料水などの缶栓を一度開け、飲み残しを長時間後に飲料する場合において、その間の炭酸発泡を極力抑止し飲料鮮度を保持すること。
【課題を解決するための手段】
【０００５】  従来から使用されている飲料缶上部に突出している円形状の缶縁部７全体に、発泡抑止蓋本体１の内側に装着した溝形密閉ゴムリング２を上部より食い込ませ、さらに、飲料缶首部１２・肩部１３外側の比較的圧縮強度が高い位置まで溝形密閉ゴムリング２を密着させた、発泡抑止蓋本体１の外形状は円形・多角形とし、金属・プラスチック・ガラスを材質とした、発泡抑止蓋本体１の上部に通気口用の孔を設け、通気口用ゴムリング５を装着した通気弁３の操作により、蓋内の真空などの圧気状態を調整し、発泡抑止蓋本体１の脱着を容易にした。
【考案の効果】
【０００６】  飲料缶上部に突出している円形状の缶縁部７全体に、溝形密閉ゴムリング２の溝部が食い込むように密着され、缶栓６を一度開けた缶ビール・缶入り炭酸飲料水などの発泡を長時間抑止することが可能になり、飲料鮮度を保持することができた。
【図面の簡単な説明】
【０００７】
【図１】缶飲料発泡抑止蓋の断面図と実施図である。
【図２】缶飲料発泡抑止蓋の上部からの平面図と断面図である。
【考案を実施するための形態】
・
【実施例】
【０００８】［図１］に示す通り、矢印の方向に缶飲料発泡抑止蓋を挿入し、従来から使用されている飲料缶上部に突出している円形状の缶縁部７全体に、発泡抑止蓋本体１の内側に装着した溝形密閉ゴムリング２を密着するまで押し込むことにより、並行して飲料缶首部１２・肩部１３外側の比較的圧縮強度が高い位置まで溝形密閉ゴムリング２が装着され密閉状態になる、発泡抑止蓋本体１を取り外す時に蓋内部の真空状態が強い場合は通気弁３を外して脱着を行う。
【符号の説明】
【０００９】  １    発泡抑止蓋本体
２    溝形密閉ゴムリング
３    通気弁
４    通気弁つまみ
５    通気口用ゴムリング
６    既存の飲料缶栓抜き（仮定）
７    既存の飲料缶縁部（仮定）
８    既存の飲料缶縁溝部（仮定）
９    既存の飲料缶上板部（仮定）
１０    溝形密閉ゴムリング溝部
１１    既存の飲料缶本体（仮定）
１２    既存の飲料缶首部（仮定）
１３    既存の飲料缶肩部（仮定）
【図１】
0003161783.tif 000003
【図２】
0003161783.tif 000004
(57)【要約】      （修正有）【課題】衣服の襟首部開口が狭くても、襟首を広げ、引き伸ばしを行うことなく簡単な掛け外し作業ができ、胴体部の開口から挿入して調整する面倒さもなくなる衣服ハンガーを提供する。【解決手段】左右に張り出す肩当て部の中央部が二つに折れ曲がる衣服ハンガーで、衣服を吊り掛ける時は、鞘管からなる補強材を動作し肩当て部を二つに折りたたみコンパクトに変形し衣服への挿し入れ操作を行い、次に鞘管を復旧し、二つ折りを解消し、肩当て部を左右に張出すと衣服の吊下げが可能な一文字状の形態となる。これにより、衣服にストレスを与えることもなく、簡単操作の衣服ハンガーを得ることができる。【選択図】図１
0003161789.tif 000002
【実用新案登録請求の範囲】
【請求項１】
両端が開口の約１０ｃｍ長の円筒形で、中央頂部に吊下げフックを設けた鞘管と、この鞘管の筒内を貫通することができ左右の両肩当て部を連結する中央部が約５ｃｍに亘りチューブ等の軟質材で成形した二つ折れになるジョイント部を形成した円形状の肩当て部とで構成され、ジョイント部を軸に鞘管が自在に摺動し、肩当て部のジョイント部から適度の距離で左右非対称の位置おいて鞘管を係止するためのストッパーを左右それぞれの肩当て部に設けたことを特徴とする中折れハンガー。
【考案の詳細な説明】
【技術分野】
【０００１】  本考案は、円形状の肩当て部の中央部が必要に応じて自在の方向に折れ曲がる衣服ハンガーに関する。
【背景技術】
【０００２】  衣服ハンガーに、ハイネックタイプや、丸首襟の衣服を掛け外しするさい、襟首部分を広げ引き伸ばしながら抜き差しする他、胴体部の開口から出し入れを行っていた。
【考案の概要】
【考案が解決しようとする課題】
【０００３】  襟首部分を広げながら抜き差しするため、襟首部分が伸び垂れて着用時には首へのフィットが損なわれ不愉快な思いをしていた。
又、衣服ハンガーの胴体部の開口からの挿しいれは不自由であった。
【課題を解決するための手段】
【０００４】  両端が開口の約１０ｃｍ長の円筒形で、中央頂部に吊下げフックを設けた鞘管と、この鞘管の筒内を貫通することができ左右の両肩当て部を連結する中央部が約５ｃｍに亘りチューブ等の軟質材で成形した二つ折れになるジョイント部を形成した円形状の肩当て部とで構成され、ジョイント部を軸に鞘管が自在に摺動し、肩当て部のジョイント部から適度の距離で左右非対称の位置おいて鞘管を係止するためのストッパーを左右それぞれの肩当て部に設けたことを特徴とする中折れハンガー。
【考案の効果】
【０００５】  衣服の襟首部開口が狭くても、襟首を広げ、引き伸ばしを行うことなく簡単な掛け外し作業ができ、胴体部の開口から挿入して調整する面倒さもなくなる。
【図面の簡単な説明】
【０００６】
【図１】  本発明の実施例を示す図面
【図２】  本発明の別の実施例を示す図面
【考案を実施するための形態】
【０００７】（イ）  鞘管（１）は円筒形で、強度のあるプラスチック等の素材で成形し、貫通する肩当て部（２）の一片の長さより短く、ジョイント部（３）より長い約１０ｃｍとする。又、鞘管の内径が肩当て部（２）の外径よりやや大きい同形の筒状に形成し、内部を貫通する肩当て部（２）の滑動の妨げにならない構造にする。
（ロ）  この鞘管（１）の中央の頂点部に吊下げ用のフック（４）を設ける。
（ハ）  両肩当て部（２）は、円形状で強度を有するプラスチック又は、木質等の素材で成形し、中央部は折れ曲がり可能なフレキシブルな素材を介在して連結するジョイント部（３）を形成する。
（ニ）  次に、ジョイント部（３）や、肩当て部（２）を軸に自在に滑動する鞘管（１）を、所定の位置で制止さす為に、一方の肩当て部（２）の下端部に１箇所と、もう一方の肩当て部（２）については、ジョイント部（３）の端点から約３ｃｍの位置にストッパー（５）をそれぞれ設ける。
本考案は以上のような構成である。
【実施例】
【０００８】  以下、本考案の実施の形態を図１、図２を用いて説明する。
（イ）  １方の肩当て部（２）の筒先を円筒形の鞘管（１）の一方の筒口から滑らせ挿入し、鞘管（１）のその筒口がジョイント部（３）に到達する位置まで差込んだ地点で、鞘管の他方の筒口をストッパー（５）で係止させるように配置する。
（ロ）  上記のように、鞘管（１）に１方の肩当て部（２）を貫通させて配置すると、ジョイント部（３）を境に両肩当て部（２）は、二つ折れの細長な形状になり、衣服の掛け外しがとてもスムーズにできるようになる。
（ハ）  次に鞘管（１）を中央方向へと導き移動させ、もう一方の肩当て部（２）に設けたストッパー（５）で係止させると、ジョイント部（３）を跨いだ鞘管（１）の両端部は、両肩当て部（２）の向き合う端部とそれぞれ重なり合い、かけ橋となり、折れ曲がりを阻み、左右対称で一文字となる肩当て部（２）を形成する。
（ニ）  以上、必要に応じて鞘管（１）を動作し、肩当て部（２）の折りたたみや、張出しが簡単にでき、襟首の狭い衣服への掛け外し操作も難なくできる満足な結果を得ることになる。
前述に於いて、ジョイント部（３）を形成する素材については、柔軟に曲がる帯状等の軟質材の使用も可能で、円形状の肩当て部（２）の形状についても断面が円形に限らず、三角形や半円形の形状で形成しても支障がなく同様の効果を得ることが出来る。
【符号の説明】
【０００９】１        鞘管
２        肩当て部
３        ジョイント部
４        フック
５        ストッパー
【図１】
0003161789.tif 000003
【図２】
0003161789.tif 000004
(57)【要約】      （修正有）【課題】食パンを使ってサンドイッチを調理する際、卵・野菜等の具が中からはみ出さないように、サンドイッチを８分割くらいまで形を崩さず細切れ切断することができるサンドイッチカッターを提供する。【解決手段】サンドイッチ切断枠１を四角形状とし、通常市販されている食パン６の外形寸法に合わせ、その四隅とその中間４箇所の計８箇所に、切断用ナイフ挿入切込み口３を設け正確に切断できるようにする。さらに食パン切断用ナイフを切り下げてもナイフ止め兼まな板で刃先が止まるようにし、切断用ナイフ挿入切込み口３の底辺に触れないようにする。又、サンドイッチの切断後の調理品取り出しは、サンドイッチ圧縮板４を設け、上方から押さえながらサンドイッチ切断枠１を上方に抜き取るようにする。【選択図】図３
0003161785.tif 000002
【実用新案登録請求の範囲】
【請求項１】
通常市販されている食パンの外形寸法にに合わせた四角形状で、底部が繋がり一体型構造のサンドイッチ切断枠１を有することを特徴としたサンドイッチカッター。
【請求項２】
サンドイッチ切断枠１の四隅とその中間４箇所の計８箇所に、切断用ナイフ挿入切り込み口３を有することを特徴とした［請求項１］に記載するサンドイッチカッター。
【請求項３】
食パン切断用ナイフを切り下げても、ナイフの刃先がサンドイッチ切断枠１の底辺に接触しないように、ナイフ挿入切り込み口３の底辺よりも、上部を高く調整したナイフ止め兼まな板２を有する特徴をもつ［請求項１］に記載するサンドイッチカッター。
【請求項４】
サンドイッチ切断後の調理品取り出しを、上方からサンドイッチ圧縮板４で軽く押さえながらサンドイッチ切断枠１を上方に抜き取るための、サンドイッチ圧縮板４を有した特徴をもつ［請求項１］に記載したサンドイッチカッター。
【考案の詳細な説明】
【技術分野】
【０００１】  本考案は、食パンを使ったサンドイッチを切断する際、食パンに挟む卵・野菜・ハム・マヨネーズ等の具が中からはみ出さない状態で、且つ、サンドイッチの形を崩すことなく、より細切れ切断ができるようようにする調理に関する技術である。
【背景技術】
【０００２】  市販されている食パンを使ってサンドイッチを調理す場合、卵・野菜・ハム・マヨネーズ等の具が多いほど、或いは、細切れ切断するほど中から具がはみ出し形が崩れるなど、形の整った仕上がりの状態を保つのが困難でそれらを解消する先行技術が無かった。
【先行技術文献】
【特許文献】
【０００３】
【特許文献１】  無し
【考案の概要】
【考案が解決しようとする課題】
【０００４】  食パンを使ってサンドイッチを調理する際、卵・野菜・ハム・マヨネーズ等の具が中からはみ出さないようにし、サンドイッチを８分割くらいまで細切れ切断することと、細切れされたサンドイッチの形を崩すことなく、形の整った仕上がりのサンドイッチを作ること、且つ、一度に多数のサンドイッチを調理すること。
【課題を解決するための手段】
【０００５】  金属・プラスチック・ガラス・陶磁器・木材を材質とし、通常市販されている食パンの外形寸法にに合わせた、四角形状のサンドイッチ切断枠１を設ける、そのサンドイッチ切断枠１の四隅とその中間４箇所の計８箇所に、食パンを切断する際のナイフを挿入する縦長の切り込み口、切断用ナイフ挿入切込み口３を設ける、サンドイッチ切断枠は１は底辺が繋がり一体型としているため、別途にナイフ止め兼まな板２を設け、その上方からサンドイッチ切断枠１をはめ込み装着する、ナイフ止め兼まな板２の上部の高さを、切断用ナイフ挿入切込み口３の底辺の高さよりも高くして、食パン切断用ナイフを切り下げてもナイフ止め兼まな板２で刃先が止まり、切断用ナイフ挿入切込み口３の底辺に接触しないようにした、又、サンドイッチ切断後の調理品取り出しは、サンドイッチの形を損なわないように上部からサンドイッチ圧縮板４で軽く押さえながらサンドイッチ切断枠１を上方に抜き取る。
【考案の効果】
【０００６】  サンドイッチ切断枠１により８分割に切断しても、サンドイッチ内部の卵・野菜・ハム・マヨネーズ等の具がはみ出さず、又、サンドイッチの形を崩すことなく整った仕上がりで調理できた。
【図面の簡単な説明】
【０００７】
【図１】  サンドイッチカッター全体の上部平面図・サンドイッチ切断枠の側面図ナイフ止め兼まな板の側面図・サンドイッチカッター全体の側面図。
【図２】  サンドイッチ切断枠の斜視図・ナイフ止め兼まな板の斜視図。
【図３】  サンドイッチ圧縮板の斜視図・仮想の食パン斜視図・サンドイッチ切断枠の斜視図。
【考案を実施するための形態】
・
【実施例】
【０００８】  ［図１］の側面図が示す通り、ナイフ止め兼まな板２の上部からサンドイッチ切断枠１を装着配置する、［図３］の斜視図が示す通り、上方より食パンを一枚入れ、卵・野菜・ハム・マヨネーズ等の具を入れ、さらに、上方から食パンで挟みサンドイッチ圧縮板４で軽く押さえる、再度、食パンを一枚入れて調理を繰り返し２セットのサンドイッチを調理する、次にサンドイッチ切断枠１の切断用ナイフ挿入切込み口３から食パン切断用ナイフを挿入し切り下げて８分割切断する、その後、上部からサンドイッチ圧縮板４で軽く押さえながらサンドイッチ切断枠１を上方に抜き取り調理が終了する。
【符号の説明】
【０００９】      １    サンドイッチ切断枠
２    ナイフ止め兼まな板
３    切断用ナイフ挿入切込み口
４    サンドイッチ圧縮板
５    圧縮板取っ手
６    食パン（仮定）
７    食パン耳部（仮定）
Ｋ    切断ライン（仮定）
【図１】
0003161785.tif 000003
【図２】
0003161785.tif 000004
【図３】
0003161785.tif 000005
(57)【要約】      （修正有）【課題】紙おむつ製品をプラスチックフィルム製の包丁で密封して円柱状に形成したパッケージを提供する。【解決手段】包材を未開封のままでホールケーキに見立てた装飾ができるようにするために、未使用の紙おむつ製品をそのまま、あるいは板状に折りたたみ、放射状等に積層して、プラスチックフィルム製の包材で密封して、円柱状に形成することを特徴とする。紙おむつ製品を収納して市販されているパッケージを開封することなくホールケーキに見立てた装飾を施すことができ、衛生的で吸湿しにくい保管状態を保ったままのパッケージを提供できる。【選択図】図１
0003161294.tif 000002
【実用新案登録請求の範囲】
【請求項１】
紙おむつ製品を、プラスチックフィルム製の包材等で密封して円柱状に形成したことを特徴とする紙おむつ製品パッケージ。
【考案の詳細な説明】
【技術分野】
【０００１】
本考案は紙おむつ製品を包装するためのパッケージに関するものである。
【背景技術】
【０００２】
従来の紙おむつ製品パッケージは、紙おむつ製品を工場出荷時のまま板状に畳んで縦向きに並べ、これを複数段積み重ねた積層体をプラスチックフィルム製の包材で密封して筐体状に形成したものである。（例えば、特許文献1参照）
【先行技術文献】
【特許文献】
【０００３】
【特許文献１】特開2001-294264（第1頁、図1）
【考案の概要】
【考案が解決しようとする課題】
【０００４】
従来の紙おむつ製品パッケージは、未使用の紙おむつ製品を工場出荷時のまま板状に畳んで縦向きに並べ、これを複数段積み重ねた積層体をプラスチックフィルム製の包材で密封して筐体状に形成したものである。
【０００５】
消費者のあいだで、紙おむつ製品をパッケージから取り出して円柱状に積層して、再びプラスチックフィルム等で包装し直したものに装飾を施した「おむつケーキ」と呼称される贈答品が手作りされている。
【０００６】
従来の筐体状の紙おむつ製品パッケージでは、円柱状に積層してホールケーキに見立てるにはパッケージを開封して中身の紙おむつ製品を積層し直す必要があり不衛生である。このような再包装をすると密封度が低くなり紙おむつ製品が吸湿して機能低下する。
【課題を解決するための手段】
【０００７】
本考案はこれに鑑み検討の結果、包材を未開封のままでホールケーキに見立てた装飾ができるようにするために、紙おむつ製品をプラスチックフィルム製の包材で密封して円柱状に形成することを最も主要な特徴とする。
【考案の効果】
【０００８】
このように本考案によれば、紙おむつ製品を収納して市販されているパッケージを開封することなくホールケーキに見立てた装飾を施すことができ、衛生的で吸湿しにくい保管状態を保ったままのパッケージを提供できる。
【図面の簡単な説明】
【０００９】
【図１】図１は円柱状の紙おむつ製品パッケージの外観を示した図である。
【図２】図２は円柱状の紙おむつ製品パッケージの上からの断面図である。
【図３】図２は円柱状の紙おむつ製品パッケージの横からの断面図である。
【考案を実施するための形態】
【００１０】
本考案の好ましい実施の形態を、以下に説明する。未使用の紙おむつ製品をそのまま、あるいは板状に折りたたみ、図２のような放射状等に積層して、プラスチックフィルム製の包材で密封して、図１のような円柱状に形成することを特徴とする。
【符号の説明】
【００１１】
１    パッケージ
２    紙おむつ製品
【図１】
0003161294.tif 000003
【図２】
0003161294.tif 000004
【図３】
0003161294.tif 000005
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
紙おむつ製品を、プラスチックフィルム製の包材で密封して円柱状に形成したことを特徴とする紙おむつ製品パッケージ。
【手続補正２】
【補正対象書類名】明細書
【補正対象項目名】全文
【補正方法】変更
【補正の内容】
【考案の詳細な説明】
【技術分野】
【０００１】  本考案は紙おむつ製品を包装するためのパッケージに関するものである。
【背景技術】
【０００２】  従来の紙おむつ製品パッケージは、紙おむつ製品を工場出荷時のまま板状に畳んで縦向きに並べ、これを複数段積み重ねた積層体をプラスチックフィルム製の包材で密封して筐体状に形成したものである。（例えば、特許文献1参照）
【先行技術文献】
【特許文献】
【０００３】
【特許文献１】特開2001-294264（第1頁、図1）
【考案の概要】
【考案が解決しようとする課題】
【０００４】  従来の紙おむつ製品パッケージは、未使用の紙おむつ製品を工場出荷時のまま板状に畳んで縦向きに並べ、これを複数段積み重ねた積層体をプラスチックフィルム製の包材で密封して筐体状に形成したものである。【０００５】  消費者のあいだで、紙おむつ製品をパッケージから取り出して円柱状に積層して、再びプラスチックフィルムで包装し直したものに装飾を施した「おむつケーキ」と呼称される贈答品が手作りされている。【０００６】  従来の筐体状の紙おむつ製品パッケージでは、円柱状に積層してホールケーキに見立てるにはパッケージを開封して中身の紙おむつ製品を積層し直す必要があり不衛生である。このような再包装をすると密封度が低くなり紙おむつ製品が吸湿して機能低下する。
【課題を解決するための手段】
【０００７】  本考案はこれに鑑み検討の結果、包材を未開封のままでホールケーキに見立てた装飾ができるようにするために、紙おむつ製品をプラスチックフィルム製の包材で密封して円柱状に形成することを最も主要な特徴とする。
【考案の効果】
【０００８】  このように本考案によれば、紙おむつ製品を収納して市販されているパッケージを開封することなくホールケーキに見立てた装飾を施すことができ、衛生的で吸湿しにくい保管状態を保ったままのパッケージを提供できる。
【図面の簡単な説明】
【０００９】
【図１】図１は円柱状の紙おむつ製品パッケージの外観を示した図である。
【図２】図２は円柱状の紙おむつ製品パッケージの上からの断面図である。
【図３】図２は円柱状の紙おむつ製品パッケージの横からの断面図である。
【考案を実施するための形態】
【００１０】  本考案の好ましい実施の形態を、以下に説明する。未使用の紙おむつ製品をそのまま、あるいは板状に折りたたみ、図２のような放射状等に積層して、プラスチックフィルム製の包材で密封して、図１のような円柱状に形成することを特徴とする。
【符号の説明】
【００１１】  １    パッケージ  ２    紙おむつ製品
(57)【要約】      （修正有）【課題】飽和するまで収納することができ、又、背見出しに見出しシールの貼付や記入が可能となり、他の書類との検索や移動もスムーズとなるスライドできる留めシール及びマチ付封筒を提供する。【解決手段】スライドできる留めシールは、強粘再剥離糊を使用したユポ紙・再剥離糊面付シールで、直接マチ付封筒に貼り付けずＰＥＴフィルム・付着糊面を介してマチ付封筒へ貼り付ける、ユポ紙・再剥離糊面・ＰＥＴフィルム・付着糊面からなる四層一体型再剥離タイプである。マチ付封筒は、スライドできる留めシールが封筒本体にはられ、マチ付封筒フラップ部分に１０×３０ｍｍの□型の穴を開け、その穴を通じてユポ紙・再剥離糊面付シールがＰＥＴフィルムへ接着でき繰り返し貼って剥がせる。【選択図】図３
0003161268.tif 000002
【実用新案登録請求の範囲】
【請求項１】
マチ付封筒をシールで封緘する際、繰り返し貼って剥がせるタイプでないとならない。
強糊の再剥離糊を使用したユポ紙のシールで、直接本体に貼り付けず、PETフィルム（リケン紙）を貼り付け、四層一体型の再剥離タイプの封緘シールとした。
【請求項２】
内容物が飽和してマチ部分が広がった時、封筒のフラップ部分が自動的に上へズレ、その際封緘シールも上にズレるが、上部のユポ紙シール面と下部のPETフィルム（リケン紙）面がはなれ、スライドに対応できる。
また、強粘再剥離糊を使い繰り返し使用するので、より安定した接着の為に、フタの部分に10×30mmの□型の穴を開け、その穴を通じて1・2のユポ紙シール面が3・4のPETフィルム（リケン紙）面へ接着できるようにする。
【考案の詳細な説明】
【技術分野】
【０００１】
本考案はA4サイズまでの綴じない書類等を収納した袋に対応した封緘シール。
本シールは再剥離タイプで、繰り返し貼って剥がせるものである。
【背景技術】
【０００２】
これまでのマチ付封筒は、丸形の板紙または化成品（マーブル）に紐をかけ、封緘する位置が一箇所に限られていた。
【考案の概要】
【考案が解決しようとする課題】
【０００３】
これまでのマチ付封筒は、両サイドにマチがあり角底である為、ロッカーへの収納時に角底同士が引っ掛かったり、紐かけの留め具部分も同様に引っ掛かってしまい、スムーズ性に欠ける。従って、スライドできるシールで留めることで、前述の点を解決しようとするものである。
【課題を解決するための手段】
【０００４】
封筒を横型へ変更し、尚かつサイドにマチを付けた。
底部分は角底にせずＶ字型にし、平とじとした。
そして、封緘シールは、内容物飽和時、フラップが上に移動しても対応できる再剥離タイプとした。
【考案の効果】
【０００５】
上述のように、スライドできる封緘シールにすることで、飽和するまで収納することができ、又、背見出しに見出しシールの貼付や記入が可能となり、他の書類との検索や移動もスムーズとなる。
【図面の簡単な説明】
【０００６】
【図１】封緘シールの断面図
【図２】封緘シールの構造図
【図３】使用例を示した説明図
【図４】使用例を示した説明図
【図５】使用例を示した説明図
【考案を実施するための形態】
【０００７】
ユポ紙シール面が上に移動しても、PETフィルム（リケン紙）に貼りつけられるよう、工夫した。
初めのユポ紙シール面の位置は、PETフィルム（リケン紙）の位置と同じである。
【実施例】
【０００８】
以下、添付図面に従って一実施例を説明する。
1・2、3・4のシールを封筒本体へ貼り、1・2のユポ紙シール面を、ヘラで３／４程度剥がし、その剥がした間に、フタを挟む。
1・2のユポ紙シール面と3・4のPETフィルム（リケン紙）面が、完全に分かれるまでヘラで調整する。
7のつまみの裏は、糊殺しで糊がついていないので、本体には貼り付かない。
封筒のマチを広げない状態では1・2ユポシール面は3・4PETフィルム（リケン紙）面と重なり、マチを広げ、フタと1・2部分が上へズレて移動しても3・4面に貼り付けられる。
最後に、シールを軽く押さえる。
【符号の説明】
【０００９】
１  ユポ紙
２  再剥離のり面
３  PETフィルム（リケン紙）
４  付着のり面
５  つまみ（のりなし）
６  10×30mmの穴
７  背見出しシール
【図１】
0003161268.tif 000003
【図２】
0003161268.tif 000004
【図３】
0003161268.tif 000005
【図４】
0003161268.tif 000006
【図５】
0003161268.tif 000007
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
強粘再剥離糊を使用したユポ紙・再剥離糊面付シールで、直接マチ付封筒に貼り付けずPETフィルム・付着糊面を介してマチ付封筒へ貼り付ける、ユポ紙・再剥離糊面・PETフィルム・付着糊面からなる四層一体型再剥離タイプのスライドできる留めシール。
【請求項２】
請求項１記載のスライドできる留めシールが封筒本体にはられたマチ付封筒であって、マチ付封筒フラップ部分に10×30mmの□型の穴を開け、その穴を通じてユポ紙・再剥離糊面付シールがPETフィルムへ接着でき繰り返し貼って剥がせるのを特徴とするマチ付封筒。
【手続補正２】
【補正対象書類名】図面
【補正対象項目名】図４
【補正方法】変更
【補正の内容】
【図４】
0003161268.tif 000008
【手続補正３】
【補正対象書類名】図面
【補正対象項目名】図５
【補正方法】変更
【補正の内容】
【図５】
0003161268.tif 000009
(57)【要約】      （修正有）【課題】フルートのように吹ける尺八を提供する。【解決手段】尺八の吹口と同じものを、横に開けフルートのように、横笛とする。【選択図】図１
0003161262.tif 000002
【実用新案登録請求の範囲】
【請求項１】
尺八の吹口と同じものを、横に開けフルートのように、横笛としたもの。
【考案の詳細な説明】
【考案の詳細な説明】
この考案は、日本古来からある尺八の楽譜（ロツレチ）から、洋式の五線譜のドレミファに近づけるために、まず、構え方から変えるために、フルートのように横笛としたものである。
このようにフルートのようになれば、尺八の音色を残したままで広く一般に普及しやすく又、世界のオーケストラの音楽界にまで展望が開けると思う。
【図面の簡単な説明】
【図１】  本案の斜視図
【符号の説明】  １は  吹口    約２０ｍｍ
【図１】
0003161262.tif 000003
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
尺八の吹口と同じものを、横に開けフルートのように、横笛とした尺八。
(57)【要約】      （修正有）【課題】目録規則を学習したり、貴重書を気軽に読んだりすることができる目録規則付シールを提供する。【解決手段】記述ユニット、タイトル目録、分類目録、著者目録付で下に所蔵図書館名が付与され、図書館名の右にＱＲコード（登録商標）が付与される。【選択図】図１
0003161264.tif 000002
【実用新案登録請求の範囲】
【請求項１】
記述ユニット、タイトル目録、分類目録、著者目録等付で下に所蔵図書館名が付与され、図書館名の右に「ＱＲコード（登録商標）」が付与されたシール。
【請求項２】
左側はアーカイブされた書籍の表紙画像と分類シール、右側はそれぞれ記述ユニット、タイトル目録、分類目録、著者目録が付与され、右下に「ＱＲコード（登録商標）」が付与されたシール。
【考案の詳細な説明】
【技術分野】
【０００１】    本考案は目録規則の情報をシールに打ち出し、「ＱＲコード（登録商標）」をつけ、目録規則の学習や貴重書や携帯小説を気楽に読めるようにした目録規則付シールである。
【背景技術】
【０００２】  日本の図書館はかつて記述ユニットカードを含めタイトル目録、分類目録、著者目録などを通して利用者及び図書館員がカード目録で検索し、蔵書を探していた。しかし、１９８０年代からの電算化でＭＡＲＣ（ＭＡｃｈｉｎｅ  Ｒｅａｄａｂｌｅ  Ｃａｔａｌｏｇの略で機械可読目録という）の普及により現場では目録規則の技術及び知識は廃れることとなった。
【先行技術文献】
【特許文献】
【０００３】
【特許文献１】  特開２００７−３３４０３７
【特許文献２】  実用第３１３４６０６号
【特許文献３】  実用第３１５４４５６号
【特許文献４】  実用第３１１６３３９号
【考案の概要】
【考案が解決しようとする課題】
【０００４】  日本目録規則は、国際図書館連盟（Ｉｎｔｅｎａｔｉｏｎａｌ  Ｆｅｄｅｒａｔｉｏｎ  ｏｆ  Ｌｉｂｒａｒｙ  Ａｓｓｏｃｉａｔｉｏｎの事。略称ＩＦＬＡ。）が設定した国際標準書誌記述（Ｉｎｔｅｎａｔｉｏｎａｌ  Ｓｔａｎｄａｒｄ  Ｂｉｂｌｉｏｇｒａｐｈｉｃ  Ｄｅｓｃｒｉｐｔｉｏｎの事。略称ＩＳＢＤ。）に基づいた規則であり、これらの知識が国内で消失する危機に直面しているという事は図書館界にとって由々しき事態である。この状態を解決するのが本案の課題である。
【課題を解決するための手段】
【０００５】  手書きで目録規則を書くという事は多数蔵書がある側にとって非常に困難である。そこで、シールプリントアウト機器を通じてシールに自動出力することにより、容易に目録規則シールを作成することが出来るようにした。なお、シールへのプリントアウト方法はデータベースから自動取り込みを行なう方法や入力専用機器にて手打ちで入力、ワープロソフトで手打ち入力したものを出力するなど様々な方法が考えられるが、ここでは入力方法及び出力方法は自由とする。
【考案の効果】
【０００６】  各大学や短大が開講している司書課程、司書課程の夏季集中講座、図書館員向け研修講座、図書館員向けの職業訓練等で使用可能である。なお、シールの右下には「ＱＲコード（登録商標）」がついている。そこに携帯などの電子機器にてアクセスするとワープロソフト等で目録規則が記載された情報が入っている。その本の各目録規則をプリントアウトすることも可能であるし、音声情報によって視覚障害者であっても学習が可能であり、特別支援学校図書館や点字図書館でも利用が可能である。視覚障害を持った司書課程の教員にとっても目録規則の指導がしやすくなるというメリットもある。
このシールは応用方法も可能である。貴重書や古典籍のアーカイブ情報にも容易にアクセスできることをも可能とした。この考案は板等に目録規則付シールを貼り付けることによって、貸出不可だった貴重書や古典籍等が閲覧も貸出も返却も容易に行なえるようにするといったものである。書籍の情報は「ＱＲコード（登録商標）」にアクセスすることでわざわざＨＰにアクセスしなくともボタンひとつで閲覧が可能である。この考案は貴重書に限らず携帯小説などにも応用が可能である。なお、シールの管理は分類シールとバーコードで行なう。
【図面の簡単な説明】
【０００７】
【図１】記述ユニット、タイトル目録、分類目録、著者目録が付与され、右下に「ＱＲコード（登録商標）」が付与されたシール。
【図２】左側はアーカイブされた書籍の表紙シール、右側がそれぞれ記述ユニット、タイトル目録、分類目録、著者目録付で下に所蔵図書館名が付与され、右下に「ＱＲコード（登録商標）」が付与されたシール。
【考案を実施するための形態】
【０００８】  各部に各目録規則にしたがった目録データをシールに打ち出す。
【実施例】
【０００９】  練習用目録カードに書くときは本を閉じ、答えを知りたいときに見開き部分にある目録規則付シールを見ることによって学習効果を上げることとした。
貴重書や携帯小説等の閲覧の場合は板等に貼ったシールを図書館開架部分で気軽に探すことが一般利用者にも可能となり、閲覧、貸出、返却も容易となった。「ＱＲコード（登録商標）」にボタン一つでアクセスするので、わざわざＨＰにアクセスする必要もない。
【産業上の利用可能性】
【００１０】  図書館備品産業に利用可能性あり。
【符号の説明】
【００１１】  １  目録規則情報部分
２  「ＱＲコード（登録商標）」部分
３  アーカイブされた書籍の表紙画面
４  分類シール
５  貸出・返却用バーコード部分
【図１】
0003161264.tif 000003
【図２】
0003161264.tif 000004
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
記述ユニット、タイトル目録、分類目録、著者目録付で下に所蔵図書館名が付与され、図書館名の右に「ＱＲコード（登録商標）」が付与されたシール。
【請求項２】
左側はアーカイブされた書籍の表紙画像と分類シール、右側はそれぞれ記述ユニット、タイトル目録、分類目録、著者目録が付与され、右下に「ＱＲコード（登録商標）」が付与されたシール。
(57)【要約】      （修正有）【課題】密封性が高く、しかも再利用可能な、現代の粒状化された漢方薬の自動分配・計量装置を提供する。【解決手段】密封キャップ１と、薬調合部材２と、計量部材３と、外蓋４と、密封リングと、固定軸と、膨張固定部と、固定部材とによって構成する。密封キャップは、薬調合部材内に設けられるとともに、薬調合部材、計量部材、外蓋と連結される。固定軸は、密封リングと連結され、固定軸の一側は、密封リングによって囲繞され、固定軸は膨張固定部に締り嵌めされ、密封リングと中心軸孔は締り嵌めを形成し、外蓋には固定部材が設けられる。計量部材の外側にはインボリュート歯面１０が設けられる。使用しない時には、外部と接触するのを防ぐために、密封盖５を計量部材に被せる。それにより、計量部材のインボリュート歯面は密封盖の歯部と歯合する。【選択図】図１
0003161210.tif 000002
【実用新案登録請求の範囲】
【請求項１】
密封キャップと、薬調合部材と、計量部材と、外蓋と、密封リングと、固定軸と、膨張固定部と、固定部材とによって構成し、
密封キャップは、薬調合部材内に設けられるとともに、薬調合部材、計量部材、外蓋と連結され、固定軸は密封リングと連結され、固定軸の一側は密封リングに囲繞され、固定軸は膨張固定部に締り嵌めされ、密封リングと中心軸孔は締り嵌めを形成し、外蓋には固定部材が設けられることを特徴とする、粒状物質の自動分配・計量装置。
【請求項２】
前記計量部材の外側には、インボリュート歯面が設けられ、計量部材のインボリュート歯面は、密封盖の歯部と歯合することを特徴とする、請求項１に記載の粒状物質の自動分配・計量装置。
【考案の詳細な説明】
【技術分野】
【０００１】
本考案は、粉末状或いは粒状の物質の自動分配・計量装置に関する。
【背景技術】
【０００２】
漢方薬の文化の歴史は長く、その種類も豊富である。そして、治療効果が高い、副作用が少ない、環境に優しいなどの利点から、近年、漢方薬は国際的に流行している。しかしながら、従来の薬収納装置はあまりにも簡素で使いづらく、薬の分配も人の手によって行わなければならない。また使用後の薬収納装置は、再利用することができず、資源の無駄遣いであり、資源の減少が叫ばれる今日、このような薬収納装置は改善しなければならない。
【考案の概要】
【考案が解決しようとする課題】
【０００３】
そこで、本考案は、密封性が高く、しかも再利用可能な、現代の粒状化された漢方薬の自動分配・計量装置を提供することを目的とする。
【課題を解決するための手段】
【０００４】
本考案による粒状物質の自動分配・計量装置は、密封キャップと、薬調合部材と、計量部材と、外蓋と、密封リングと、固定軸と、膨張固定部と、固定部材とによって構成する。密封キャップは、薬調合部材内に設けられるとともに、薬調合部材、計量部材、外蓋と連結される。固定軸は、密封リングと連結され、固定軸の一側は、密封リングによって囲繞され、固定軸は膨張固定部に締り嵌めされ、密封リングと中心軸孔は締り嵌めを形成し、外蓋には固定部材が設けられる。
【０００５】
計量部材の外側にはインボリュート歯面が設けられる。本考案を使用しない時には、外部と接触するのを防ぐために、密封盖を計量部材に被せる。それにより、計量部材のインボリュート歯面は密封盖の歯部と歯合する。
【考案の効果】
【０００６】
本考案の粒状物質の自動分配・計量装置は、密封盖、密封リングによって、薬収納装置の密封性を強化し、埃や空気の進入を防ぎ、薬の薬効を保つことができる。また、組立てと分解を簡単に行うことができ、各部材を分解して洗浄することができる。各部材を分解する際は、密封キャップを取り外すとその他の部材を分解することができ、洗浄消毒して乾燥させた後、再び組立てて再利用することができ、それにより資源を節約することができる。さらに、本考案は、構造が簡単であり使用が簡単である、薬の調合の際の分配と計量を行うことができるなどの利点がある
【図面の簡単な説明】
【０００７】
【図１】本考案の構造を示した斜視図である。
【図２】本考案の密封リングと固定軸の構造を示した説明図である。
【図３】本考案の外蓋の構造を示した説明図である。
【考案を実施するための形態】
【０００８】
本考案の実施例について、以下に、図を参照しながら詳細に説明を行う。
【０００９】
本考案の一実施形態による粒状物質の自動分配・計量装置は、密封キャップ１と、薬調合部材２と、計量部材３と、外蓋４と、密封リング６と、固定軸７と、膨張固定部８と、固定部材９とによって構成する。密封キャップ１は、薬調合部材２内に設けられるとともに、薬調合部材２、計量部材３、外蓋４と連結される。固定軸７は、密封リング６と連結され、固定軸７の一側は、密封リング６によって囲繞され、固定軸７は膨張固定部８に締り嵌めされ、密封リング６と中心軸孔は締り嵌めを形成し、外蓋４には固定部材９が設けられる。
【００１０】
計量部材３の外側にはインボリュート歯面１０が設けられる。本考案を使用しない時には、外部と接触するのを防ぐために、密封盖５を計量部材３に被せる。それにより、計量部材３のインボリュート歯面１０は密封盖５の歯部と歯合する。
【００１１】
密封盖５、密封リング６によって、薬収納装置の密封性を強化し、薬の薬効を保つことができる。
【００１２】
粒状物質の自動分配・計量装置は、各部材を分解して洗浄することができる。各部材を分解する際は、密封キャップ１を取り外すとその他の部材を分解することができ、洗浄消毒して乾燥させた後、再び組立てることができる。本考案は、組立てと分解を簡単に行うことができることによりメンテナンスがしやすい、構造が簡単である、資源の節約をすることができる、使用が簡単である、薬の調合の際の分配と計量を行うことができる、再利用を行うことができる、外部からの密封性が高く埃や空気の進入を防ぐことができるなどの利点がある。  
【符号の説明】
【００１３】
１    密封キャップ
２    薬調合部材
３    計量部材
４    外蓋
５    密封盖
６    密封リング
７    固定軸
８    膨張固定部
９    固定部材
１０  インボリュート歯面
【図１】
0003161210.tif 000003
【図２】
0003161210.tif 000004
【図３】
0003161210.tif 000005
(57)【要約】      （修正有）【課題】スカーフのような利便性を有するネックレスを提供する。【解決手段】首周りの長さの筒状にした布を、とも布でマグネットクラスプに取りつける。【選択図】図１
0003161225.tif 000002
【実用新案登録請求の範囲】
【請求項１】
布を筒状にしマグネットクラスプに取り付けた。
【請求項２】
一般的なスカーフに見せないためにポイントとしてチェーンで輪を作り本体に通した。
【考案の詳細な説明】
【技術分野】
【０００１】  本考案は女性用装身具であり詳しくはスカーフ及びネックレスに関するものである。
【背景技術】
【０００２】  従来スカーフは一枚の布であり結ぶ、巻くといった作業を必要とするものである。
【考案の概要】
【考案が解決しようとする課題】
【０００３】  スカーフをする事で暖かさ、紫外線防止、またはおしゃれを楽しみたい場合きれいに巻けない、結んでも形が崩れる、風に吹かれほどける等見晴えが悪くなる問題点を有している。【０００４】  本考案はスカーフを結ぶ、巻くといった動作の煩わしさをなくし、手の不自由な方、首をかくしたい方、暖めたい、紫外線防止をしたい方の為に簡単に着脱できおしゃれで実用性のあるネックレスを提供しようとするものである。
【課題を解決するための手段】
【０００５】  上記目的を達成する為に本考案における布は筒状にし、首巻りに合う長さに栽断し両端をぬい縮め共布で本体切れ端を隠すように縫いマグネットクラスプに取り付けた。【０００６】  一見一般のスカーフに見える為ポイント用装飾としてチェーンリングを本体に通した。
【考案の効果】
【０００７】  布を結ぶ巻くといった動作を必要としない。【０００８】  また筒状の布であり長さが決まっている為形状が崩れたりしない。【０００９】  そして簡単に暖かさや、紫外線防止をし、おしゃれに見せる。【００１０】  ユニバーサルアクセサリーのネックレスとして使い易く実用的である。
【図面の簡単な説明】
【００１１】
【図１】  本考案のマグネットクラスプのスカーフネックレスの正面図である。
【図２】  本考案のマグネットクラスプのスカーフネックレスの側面図である。
【実施例】
【００１２】  以下添付図面に従って実施例を説明する。１はマグネットクラスプ、２は３の装飾用チェーンリングを通した筒状布で１のマグネットクラスプをはずし両端を持ち首の左右から後ろでマグネットクラスプを止める。
【符号の説明】
【００１３】  １  マグネットクラスプ
２  筒状布
３  装飾用チェーンリング
【図１】
0003161225.tif 000003
【図２】
0003161225.tif 000004
【手続補正書】
【提出日】平成22年1月9日(2010.1.9)
【手続補正１】
【補正対象書類名】実用新案登録請求の範囲
【補正対象項目名】全文
【補正方法】変更
【補正の内容】
【実用新案登録請求の範囲】
【請求項１】
長方形に裁断した布の長い辺２枚を合わせミシンで縫い表に返し筒状にした布の両端は糸でそれぞれ縫い縮め両端の切れはしは筒状にした布のミシン目がある部分を裏側中央にし、小さな（５ｃｍ×６ｃｍ程度）とも布を中表で端の縫い縮めた部分先端に巻き縫い合わせる。とも布を表に返しマグネットクラスプ本体の穴に通しとも布を本体にかがる。
筒状の布とマグネットクラスプを組み合わせる事で着脱が簡単でありスカーフの利便性を合わせ持つ事を特徴とするネックレス。
【請求項２】
一般的なスカーフに見せない為にポイントとしてチェーンを筒状にした布の直径に合わせずり落ちない長さに切り、管でチェーンをつなぎ輪にして本体に通し組み合わせスカーフを巻いている様に見えるがチェーンで装飾性を持たせた事を特徴とするネックレス。
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
首回りの長さの筒状にした布をとも布でマグネットクラスプに取り付け、筒状にした布とマグネットクラスプを組み合わせて着脱が簡単でスカーフの利便性を合わせ持つ事を特徴とするネックレス。